(57)【要約】【課題】加飾層の微妙な色調の調整を容易且つ安価に実現可能な表示装置用前面板を提供する。【解決手段】前面板２０は、透光性基材２５と、透光性基材に積層された加飾層３０と、を含む。加飾層は、白色色材を含む第１層３１と、第１層と透光性基材との間に配置され且つ有彩色色材を含む第２層３２と、を含む。【選択図】図３
2015139929.tif 000002
【特許請求の範囲】
【請求項１】
透光性基材と、
前記透光性基材に積層された加飾層と、を備え、
前記加飾層は、白色色材を含む第１層と、前記第１層と前記透光性基材との間に配置され且つ有彩色色材を含む第２層と、を含む、表示装置用前面板。
【請求項２】
ＪＩＳＺ８７２２（１９８２）の条件ｃに準拠して測定された前記第１層の可視光反射率が、７０％以上である、請求項１に記載の表示装置用前面板。
【請求項３】
ＣＩＥ１９３１に準拠して測定された前記第２層の可視光透過率が、３０％以上である、請求項１または２に記載の表示装置用前面板。
【請求項４】
前記加飾層は、前記第１層の前記透光性基材とは反対側に積層された遮光層を、さらに含む、請求項１〜３のいずれか一項に記載の表示装置用前面板。
【請求項５】
光学濃度ＯＤ値で表した前記遮光層の透過率は、３以上である、請求項４に記載の表示装置用前面板。
【請求項６】
前記第１層の白色色材は、酸化チタンを含む、請求項１〜５のいずれか一項に記載の表示装置用前面板。
【請求項７】
請求項１〜６のいずれか一項に記載の表示装置用前面板を備える、表示装置。
【発明の詳細な説明】
【技術分野】
【０００１】
本発明は、表示装置用前面板および前面板を有した表示装置に関する。
【背景技術】
【０００２】
例えば特許文献１に開示されているように、昨今の表示装置において、表示機構（表示セル、表示パネル）の観察者側に、画像を表示する表示領域と、当該表示領域を取り囲むように形成された非表示領域と、を含む前面板が配置されることがある。前面板を表示機構とともに用いる理由の一つとして、意匠性の改善効果が期待されている。
【０００３】
通常、図５及び図６に示すように、表示セル１３０は、画像を表示するための表示領域Ａａ１の周囲に、額縁領域とも呼ばれる非表示領域Ａａ２を有している。この非表示領域Ａａ２には、配線等が配置されている。このため前面板１００が用いられていない装置１１０Ａでは、表示セル１３０を収容するケース１１２Ａが、当該装置１１０Ａの前面の周縁上にも配置され、表示セル１３０の非表示領域Ａａ２を前方から隠蔽している。一方、図７及び図８に示すように、前面板１００を設けた装置１１０Ｂにおいては、前面板１００に隠蔽機能を付与することにより、ケース１１２Ｂが装置の前面を広範囲に覆う必要がなくなる。すなわち、前面板１００の裏面に隠蔽層１０１を形成しておけば、前面板の表面によって画成されるフラット面によって、当該装置の前面を画成することができ、意匠性を大幅に向上させることができる。加えて、ケースと同様に、前面板１００にも図形等の絵柄１０３を設けることが可能である。
【０００４】
昨今では、前面板１００の隠蔽層１０１を加飾層として形成し、前面板に意匠性を積極的に付与することも検討されている。例えば、隠蔽層１０１を、黒色層や白色層ではなく、有彩色層として形成することも検討されている。図９に示された具体例のように、ガラス基材２０１、ガラス基材上に形成された有彩色顔料を含んだ有彩色層２０２、及び、有彩色層２０２の裏面に形成されたメタリック層２０３を含んだ前面板２００も開発されつつある。
【先行技術文献】
【特許文献】
【０００５】
【特許文献１】特開２０１１−１９４７９９号公報
【発明の概要】
【発明が解決しようとする課題】
【０００６】
一般的に、有彩色層２０２は、所望の色の顔料を含んだ樹脂組成物を硬化させることによって形成される。この有彩色層２０２の色調を調整しようとすると、有彩色層２０２の厚みを変化させるか、或いは、樹脂組成物を都度調整する必要がある。しかしながら、有彩色層２０２の厚みを変化させたとしても、濃淡を調整することしかできず、加えて、隠蔽性の観点から調整代も十分ではない。また、多種類の樹脂組成物を作製および保管しておくことは、前面板の製造コストを上昇させてしまうことになる。
【０００７】
本発明は、以上の点を考慮してなされたものであり、加飾層の微妙な色調の調整を容易且つ安価に実現可能な表示装置用前面板、および、この表示装置用前面板を有する表示装置を提供することを目的とする。
【課題を解決するための手段】
【０００８】
本発明による前面板は、
透光性基材と、
前記透光性基材に積層された加飾層と、を備え、
前記加飾層は、白色色材を含む第１層と、前記第１層と前記透光性基材との間に配置され且つ有彩色色材を含む第２層と、を含む。
【０００９】
本発明による前面板において、ＪＩＳＺ８７２２（１９８２）の条件ｃに準拠して測定された前記第１層の可視光反射率が、７０％以上であるようにしてもよい。
【００１０】
本発明による前面板において、ＣＩＥ１９３１に準拠して測定された前記第２層の可視光透過率が、３０％以上であるようにしてもよい。
【００１１】
本発明による前面板において、前記加飾層は、前記第１層の前記透光性基材とは反対側に積層された遮光層を、さらに含むようにしてもよい。
【００１２】
本発明による前面板において、光学濃度ＯＤ値で表した前記遮光層の透過率は、３以上であるようにしてもよい。
【００１３】
本発明による前面板において、記第１層の白色色材は、酸化チタンを含むようにしてもよい。
【００１４】
本発明による表示装置は、上述した本発明による前面板のいずれかを備える。
【発明の効果】
【００１５】
本発明によれば、加飾層の微妙な色調の調整を容易且つ安価に実施することができ、これにより、容易且つ安価に表示装置の意匠性を改善することができる。
【図面の簡単な説明】
【００１６】
【図１】図１は、本発明の一実施の形態を説明するための図であって、表示装置を含んだ装置を示す平面図である。
【図２】図２は、図１のＩＩ−ＩＩ線に沿った断面図である。
【図３】図３は、図２と同様の断面にて、表示装置に組み込まれた前面板を示す断面図である。
【図４】図４は、図３と同様の断面にて、前面板の一変形例を示す図である。
【図５】図５は、従来の表示装置を含んだ装置の一例を説明するための平面図である。
【図６】図６は、図５の装置を示す縦断面図である。
【図７】図７は、従来の表示装置を含んだ装置の他の例を説明するための平面図である。
【図８】図８は、図７の装置を示す縦断面図である。
【図９】図９は、図３に対応する図であって、前面板を示す断面図である。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば「同一」等の用語等については、厳密な意味に縛られることなく、実際の使用において同等と判断され得る範囲を含めて解釈することとする。
【００１８】
図１〜図４は本発明の一実施の形態およびその変形例を説明するための図である。以下に説明する一実施の形態では、本発明による前面板を携帯端末用の表示装置に適用した例を説明する。しかしながら、本発明による前面板を含んだ表示装置は、携帯端末に限られることなく種々の装置に適用することができる。
【００１９】
図１及び図２は、それぞれ、表示装置１５を含んだ携帯端末１１を示す平面図または縦断面図である。図３は、図２の縦断面図の部分拡大図にて、表示装置１５に含まれた前面板２０を示している。図４は、加飾層３０の一変形例を説明するための図である。
【００２０】
図１及び図２に示すように、携帯端末１１として構成された装置１０は、表示装置１５と、表示装置１５を収容するケース１２と、を有している。表示装置１５は、画像を形成する画像形成装置としての表示機構１８と、表示機構１８に積層された前面板２０と、を有している。図２に示すように、表示装置１５の表示機構１８は、画像が表示される表示領域Ａ１と、表示領域Ａ１を周状に取り囲む非表示領域Ａ２と、を画成する。表示機構１８は、特に制限されることなく種々の表示機構、例えば、液晶表示装置、ＥＬ表示装置、プラズマ表示装置等を用いることができる。
【００２１】
以下で詳しく説明するように、前面板２０は、非表示領域Ａ２において、優れた隠蔽性を発揮し得る。したがって、図５及び図６に示された従来例と異なり、ケース１２は、表示装置１５を側方から支持するだけでよく、装置１０の前面において表示セル３０の非表示領域Ａ２を覆う必要はない。これにより、装置１０の前面には、ケース１２が殆ど露出しておらず、段差のないフラットな面として形成され得る。このため、装置１０は、デザイン性において優れる。
【００２２】
なお、装置１０は、携帯端末１１として機能するために必要となる回路等を適宜含んでいるが、図示を省略している。携帯端末１１として機能するための構成は、既知の構成と同様にすることができる。したがって、携帯端末１１として機能するための構成についての説明は省略する。以下、ケース１２に支持された表示装置１５の前面板２０について説明する。
【００２３】
図３に示すように、前面板２０は、透光性基材２５と、透光性基材２５に積層された加飾層３０と、を有している。透光性基材２５は、加飾層３０を支持する部位であるとともに、表示装置１５の最も観察者側の表面を形成する部位となる。したがって、好ましくは、透光性基材２５が十分な強度や落下時の衝撃に対する耐性を有している。とりわけ表示装置１５がタッチパネル機能を有している場合には、透光性基材２５は、接触位置を検出される面をなす。このような用途においては、外力が透光性基材２５に頻繁に加えられるようになるので、透光性基材２５の強度や衝撃耐性がより重要となる。透光性基材２５は、一例として、強化処理された無アルカリガラスから形成され得る。
【００２４】
図示された例において、加飾層３０は、透光性基材２５の背面側（表示機構１８の側）を向く面上に、非表示領域Ａ２の全領域に亘って形成されている。加飾層３０は、非表示領域Ａ２内において、表示機構１８の回路や配線等を隠蔽しながら、装置１０や表示装置１５の意匠性を向上させる層である。
【００２５】
まず隠蔽性の観点から、加飾層３０が形成されている部分での可視光に対する透過率が、光学濃度（ＯＤ）で表して、４以上となっていることが好ましい。なお、光学濃度にて表される透過率の値（ＯＤ）は、垂直入射した入射光の強度Ｉｉｎと垂直に透過した透過光の強度Ｉｏｕｔとを用いた「ｌｏｇ１０（Ｉｉｎ／Ｉｏｕｔ）」によって特定される。また、意匠性を向上させる観点から、加飾層３０は、製品名や製造名を表示する絵柄部３９が形成されていてもよい（図１参照）。絵柄部３９は、情報を表示する文字や記号等に限られることなく、模様やパターン等であってもよい。
【００２６】
図３に示すように、加飾層３０は、具体的な構成として、第１層３１及び第２層３２を含んでいる。第１層３１は、白色色材を含んだ白色層であり、第２層３２は、有彩色色材を含んだ有彩色層である。第１層３１は、ベタ膜として形成されている。図示された例において、第１層３１は、非表示領域Ａ２の全領域に亘って形成されている。第２層３２も、ベタ膜として形成されている。図示された例において、第２層３２は、非表示領域Ａ２の全領域に亘って形成されている。すなわち、第１層３１及び第２層３２は、同一の領域に重ねて形成されている。
【００２７】
第１層３１は、一例として、白色顔料を含んだ樹脂層として形成される。白色色材としては、典型例として酸化チタンを用いることができる。白色色材を含む樹脂層は、感光性樹脂硬化物としての樹脂バインダからなる主部と、主部中に分散した色材と、を含む塗膜として形成される。第１層３１は、典型的には、色材分散レジスト塗膜として形成され得る。
【００２８】
第２層３２は、一例として、有彩色顔料を含んだ樹脂層として形成される。有彩色は、色味の無い明度のみの無彩色と区別される色である。すなわち、有彩色は、赤、緑、青等の色味があり且つ明度、色相および彩度を有する色である。有彩色色材を含む樹脂層は、感光性樹脂硬化物としての樹脂バインダからなる主部と、主部中に分散した色材と、を含む塗膜として形成される。第２層３２は、典型的には、色材分散レジスト塗膜として形成され得る。
【００２９】
このような加飾層３０において、第１層３１は、白色色材を含む層となっており、優れた反射性を有することになる。したがって、第１層３１は、第２層３２に覆われた部分に第２層３２を透過して入射する光も、高い反射率で反射することになる。この結果、加飾層３０は、第１層３１のみによって表現される色調および第２層３２のみによって表現される色調の両方と異なる色調を表現することが可能となる。すなわち、加飾層３０のデザイン性を大幅に広げることができ、結果として、装置１０の意匠性を効果的に上昇させることができる。また、加飾層３０で表現される色調は、第１層３１の厚みｔ１及び第２層３２の厚みｔ２を変化させることによって調整され得る。したがって、第１層３１及び第２層３２のそれぞれに用いられる二種類の材料を用意しておくだけで、種々の色調を表現することが可能となる。したがって、デザインの幅を広げることに対して、大幅な製造コストの上昇を引き起こすこともない。
【００３０】
なお、第１層３１の反射率が高くなっており、第２層３２の透過率が高くなっていれば、第１層３１及び第２層３２の組み合わせによる色調を強調することが可能となる。この観点から、第２層３２の厚みｔ２は、第１層３１の厚みｔ１よりも薄くなっていることが好ましい。
【００３１】
また、本件発明者らが鋭意実験を繰り返したところ、ＪＩＳＺ８７２２（１９８２）の条件ｃに準拠して測定された第１層３１の可視光反射率を７０％以上に設定することが、ここで説明した視覚効果を確保する上で有効であった。ここでいう可視光反射率は、第１層３１単独での反射率であり、その測定は、実際の第１層３１と同一材料を用いて同一厚みに形成された第１層３１の試験サンプルに対して実施され得る。また、本件発明者らが鋭意実験を繰り返したところ、ＣＩＥ１９３１（ＣＩＥ（Ｃｏｍｍｉｓｓｉｏｎ  Ｉｎｔｅｒｎａｔｉｏｎａｌ  ｄｅ’  Ｅｃｌａｉｒａｇｅ；国際照明委員会）に準拠して測定された第２層３２の可視光透過率を３０％以上に設定することが、ここで説明した視覚効果を確保する上で有効であった。ここでいう可視光透過率は、第２層３２単独での反射率であり、その測定は、実際の第２層３２と同一材料を用いて同一厚みに形成された第２層３２の試験サンプルに対して実施され得る。
【００３２】
さらに、上述したように、非表示領域Ａ２に配置される加飾層３０には隠蔽性が要求される。そして、図示された加飾層３０は、図３に示すように、第１層３１の透光性基材２５とは反対側に積層された遮光層３５を、さらに含んでいる。図示された遮光層３５は、非表示領域Ａ２の全領域に亘って形成されている。したがって、遮光層３５は、第１層３１及び第２層３２が形成されている領域と同一の領域に設けられている。上述したように、加飾層３０全体としての透過率を光学濃度ＯＤ値で表して４以上に安定して確保する観点から、光学濃度ＯＤ値で表した遮光層３５の透過率を３以上にすることが好ましい。
【００３３】
なお、第１層３１の反射率が高い場合、表示機構１８側から第１層３１へ光が入射すると、表示装置１５内に迷光が発生する。このような迷光は、表示機構１８に組み込まれたスイッチング素子の誤作動を引き起こすことにもなる。したがって、非表示領域Ａ２の隠蔽性を確保するといった観点のみからだけでなく、遮光層３５を設けることは有効である。そして、迷光の発生を防止するといった観点においても、光学濃度ＯＤ値で表した遮光層３５の透過率を３以上にすることが好ましい。
【００３４】
遮光層３５は、例えば、感光性樹脂の硬化物としての樹脂バインダからなる主部と、主部中に分散された光吸収性粒子と、を含む塗膜として形成される。典型的には、チタンブラックやカーボンブラック等の黒色顔料を光吸収性粒子として用い、遮光層３５を顔料分散レジスト塗膜として形成することができる。
【００３５】
以上のように本実施の形態によれば、加飾層３０が、白色色材を含む第１層３１と、第１層３１と透光性基材２５との間に配置され且つ有彩色色材を含む第２層３２と、を含んでいる。このような加飾層３０では、第１層３１の白色と第２層３２の有彩色との組み合わせにより、第１層３１のみによって表現される色調および第２層３２のみによって表現される色調の両方と大きく異なる色調を表現することが可能となる。とりわけ、反射率が高くなる傾向を有した第１層３１によって、第２層３２の有彩色と組み合わされた色調を、積極的に表現することが可能となる。また、第１層３１および第２層３２をなす二種類の原料を調整しておくとともに、第１層３１の厚みｔ１及び第２層３２の厚みｔ２を変更することにより、加飾層３０によって表現される色調を調整することもできる。すなわち、加飾層３０のデザイン性を大幅に広げることができ、結果として、装置１０の意匠性を効果的に上昇させることができる。この際、第１層３１及び第２層３２に用いられる材料は、一定とすることができる。したがって、デザインの幅を広げることに対して、大幅な製造コストの上昇を引き起こすこともない。
【００３６】
以上、本発明を図示する一実施の形態に基づいて説明したが、本発明は以上の実施形態に限定されるものではなく、この他にも種々の態様で実施可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００３７】
上述した実施の形態において、第１層３１の厚みｔ１が一定である例を示したが、第１層３１の厚みｔ１は変化してもよい。同様に、第２層３２の厚みｔ２が一定である例を示したが、第２層３２の厚みｔ２は変化してもよい。図４に示された例において、第２層３２の厚みｔ２は、非表示領域Ａ２内のうちの表示領域Ａ１に近接した領域Ａ２ｙにおいて、非表示領域Ａ２内のうちの表示領域Ａ１から離間した領域Ａ２ｘよりも、薄くなっている。図４に示された前面板２０では、非表示領域Ａ２内のうちの表示領域Ａ１に近接した領域Ａ２ｙにおいて第２層３２の有彩色が薄くなり、非表示領域Ａ２内のうちの表示領域Ａ１から離間した領域Ａ２ｘにおいて第２層３２の有彩色が濃くなる。
【００３８】
なお、図４に示された例において、第２層３２の厚みｔ２だけでなく、第１層３１の厚みｔ１も変化している。具体的には、第１層３１の厚みｔ１は、非表示領域Ａ２内のうちの表示領域Ａ１に近接した領域Ａ２ｙにおいて、非表示領域Ａ２内のうちの表示領域Ａ１から離間した領域Ａ２ｘよりも、厚くなっている。結果として、第１層３１及び第２層３２の合計厚みが、非表示領域Ａ２内で一定となっている。このような例によれば、非表示領域Ａ２内のうちの表示領域Ａ１に近接した領域Ａ２ｙにおいて第２層３２の有彩色が薄くなり、非表示領域Ａ２内のうちの表示領域Ａ１から離間した領域Ａ２ｘにおいて第２層３２の有彩色が濃くなるといった傾向が、より顕著となる。
【００３９】
ただし、第１層３１の厚みｔ１及び第２層３２の厚みｔ２の両方が変化する図４の例に限られず、第１層３１及び第２層３２の一方が一定の厚みを有するようにしてもよい。また、図４では、第１層３１の厚みｔ１及び第２層３２の厚みｔ２が一段階だけ変化する例を示したが、この例に限られず、二段階以上に変化するようにしてもよい。さらに、第１層３１の厚みｔ１及び第２層３２の厚みｔ２が段階的に変化する例を示したが、この例に限られず、連続的に変化するようにしてもよい。
【００４０】
また、上述した前面板２０が、保護層をさらに含むようにしてもよい。さらに、上述した前面板２０が、タッチパネル機能を発現するためのセンサ、電極、回路等を含んでいてもよい。
【００４１】
なお、以上において上述した実施の形態に対するいくつかの変形例を説明してきたが、当然に、複数の変形例を適宜組み合わせて適用することも可能である。
【符号の説明】
【００４２】
１０   装置
１１   携帯端末
１５   表示装置
１８   表示機構
２０   前面板
２５   透光性基材
３０   加飾層
３１   第１層
３２   第２層
３５   遮光層
３９   絵柄部
【図１】
2015139929.tif 000003
【図２】
2015139929.tif 000004
【図３】
2015139929.tif 000005
【図４】
2015139929.tif 000006
【図５】
2015139929.tif 000007
【図６】
2015139929.tif 000008
【図７】
2015139929.tif 000009
【図８】
2015139929.tif 000010
【図９】
2015139929.tif 000011